(57)【要約】【課題】内装材又は家具又は什器側にコードレス照明器具を保持するための部材を設けることなく確実に取付けできる。また、取り外した状態でピン部による取付けの痕跡が目立たない。【解決手段】非接触式照明システムは、内装材又は家具又は什器よりなる取付け基材１と、この取付け基材１に設けられた取付け部２と、この取付け部２内又は取付け部２の背面側に配置された非接触給電部３と、取付け部２の表面に近接配置されて非接触給電部３から非接触状態で電力供給を受ける非接触受電部４を有するコードレス照明器具５とを備える。非接触給電部３に対応した前記取付け部２の表面が多孔質部材又はゴム材である。コードレス照明器具５に取付け部２の表面に突き刺し、引き抜き自在なピン部６を設ける。【選択図】図１
2012028141.tif 000002
【特許請求の範囲】
【請求項１】
内装材又は家具又は什器よりなる取付け基材と、この取付け基材に設けられた取付け部と、この取付け部内又は取付け部の背面側に配置された非接触給電部と、前記取付け部の表面に近接配置されて前記非接触給電部から非接触状態で電力供給を受ける非接触受電部を有するコードレス照明器具とを備える非接触式照明システムであって、前記非接触給電部に対応した前記取付け部の表面が多孔質部材又はゴム材であり、前記コードレス照明器具に取付け部の表面に突き刺し、引き抜き自在なピン部を設けて成ることを特徴とする非接触式照明システム。
【請求項２】
前記コードレス照明器具の光の光軸と前記ピン部の中心軸とが非平行であることを特徴とする請求項１記載の非接触式照明システム。
【請求項３】
前記非接触給電部に対応した前記取付け部の表面が木質系材料よりなる多孔質部材であることを特徴とする請求項１又は請求項２記載の非接触式照明システム。
【発明の詳細な説明】
【技術分野】
【０００１】
本発明は、非接触式照明システムに関するものである。
【背景技術】
【０００２】
従来の非接触給電システムとしては、特許文献１、特許文献２等が知られている。
【０００３】
特許文献１に示された従来例は、家具の天板の内面側に非接触給電部と、非接触受電部を有するコードレス機器を備え、コードレス機器を天板の上に載置して非接触給電部から非接触受電部に電力供給を受けるようになっている。
【０００４】
また、上記従来例には、天板とコードレス機器に磁石を設け、コードレス機器を天板の上に載置した際に、天板とコードレス機器を磁石間の吸引力で保持することも開示してある。
【０００５】
特許文献２に示された従来例は、壁や天井等の建築用の内装材の内面側に設けた非接触給電部と、内装材表面の非接触給電部に対応した位置に近接配置されて前記非接触給電部から非接触状態で電力供給を受ける非接触受電部を有するコードレス機器を備えている。
【０００６】
この従来例は、内装材とコードレス機器に磁石を設け、内装材とコードレス機器を磁石間の吸引力で保持するようになっている。
【０００７】
また、磁石による保持の代わりに、ねじ、面ファスナ、吸盤、粘着性樹脂、両面テープによりコードレス機器を内装材に取付けて保持することも開示してある。
【先行技術文献】
【特許文献】
【０００８】
【特許文献１】特開２００１−３０９５７９号公報
【特許文献２】特開２００９−１５９６８６号公報
【発明の概要】
【発明が解決しようとする課題】
【０００９】
しかしながら、コードレス機器への給電に当たって、コードレス機器を内装材又は家具に磁石間の吸引力で保持した状態で給電するものにおいては、内装材又は家具の内面側に保持部材としての磁石を設けなければならないという問題がある。
【００１０】
しかも、内装材又は家具の内面側に磁石を設けるため、内装材又は家具の表面に異物（磁性を有する金属）が付着してしまうという問題がある。
【００１１】
一方、ねじ、粘着性樹脂、両面テープを用いるものにおいては、コードレス機器を取り外した場合、内装材又は家具側にねじ孔の痕跡が目立つという問題がある。
【００１２】
また、粘着性樹脂、両面テープを用いるものにおいては、内装材又は家具側の表面が粘着性樹脂や両面テープの粘着剤が付着し、これらに埃が付着して汚れるという問題がある。
【００１３】
更に、面ファスナを用いるものにおいては、内装材又は家具側の表面に面ファスナの雄又は雌のファスナ部を設ける必要がある。
【００１４】
また、吸盤を用いる場合は、内装材又は家具の表面が吸盤を吸着できるような平滑面でなければならず、内装材又は家具の表面の材料に制約がある。また、吸盤による保持は不安定である。
【００１５】
本発明は、上記の点に鑑みて発明したもので、内装材又は家具又は什器側にコードレス照明器具を保持するための部材を設けることなく確実に取付けでき、また、取り外した状態で取付けの痕跡が目立たない非接触式照明システムを提供するにある。
【課題を解決するための手段】
【００１６】
本発明の非接触式照明システムは、内装材又は家具又は什器よりなる取付け基材と、この取付け基材に設けられた取付け部と、この取付け部内又は取付け部の背面側に配置された非接触給電部と、前記取付け部の表面に近接配置されて前記非接触給電部から非接触状態で電力供給を受ける非接触受電部を有するコードレス照明器具とを備える非接触式照明システムであって、前記非接触給電部に対応した前記取付け部の表面が多孔質部材又はゴム材であり、前記コードレス照明器具に取付け部の表面に突き刺し、引き抜き自在なピン部を設けて成ることを特徴とする。
【００１７】
また、前記コードレス照明器具の光の光軸と前記ピン部の中心軸とが非平行であることが好ましい。
【００１８】
また、前記非接触給電部に対応した前記取付け部の表面が木質系材料よりなる多孔質部材であることが好ましい。
【発明の効果】
【００１９】
本発明は、コードレス照明器具に取付け部の表面に突き刺し、引き抜き自在なピン部を設けているので、内装材又は家具又は什器側にコードレス照明器具を保持するための部材を設ける必要がなく、内装材又は家具又は什器側の構造が簡略となる。
【００２０】
また、ピン部を内装材又は家具又は什器の取付け部に突き刺すので、取付け部へのコードレス照明器具の取付けが簡単且つ確実にでき、取付け部のどの部位にでもコードレス照明器具の取付けができる。
【００２１】
また、非接触給電部に対応した取付け部の表面が多孔質部材又はゴム材であるので、コードレス照明器具を取り外した状態で、ピン部の差込みの痕跡が目立たない。
【図面の簡単な説明】
【００２２】
【図１】本発明の一実施形態の概略斜視図である。
【図２】同上の断面図である。
【図３】同上に用いるコードレス照明器具を示し、（ａ）は斜視図であり、（ｂ）は分解斜視図であり、（ｃ）は側面断面図であり、（ｄ）は正面断面図である。
【図４】同上の回路構成図である。
【図５】本発明の他の実施形態の断面図である。
【図６】本発明の更に他の実施形態の正面図である。
【図７】本発明の更に他の実施形態の断面図である。
【図８】本発明の更に他の実施形態の断面図である。
【発明を実施するための形態】
【００２３】
以下、本発明を添付図面に示す実施形態に基づいて説明する。
【００２４】
本発明の非接触式照明システムは、内装材又は家具又は什器よりなる取付け基材１にコードレス照明器具５を取付けて、非接触により取付け基材１側からコードレス照明器具５に給電するシステムである。
【００２５】
取付け基材１は、その表面側に、コードレス照明器具５を取付けるための面状をした取付け部２を備えており、この取付け部２内又は取付け部２の背面側に非接触給電部３を配設している。
【００２６】
図１には取付け基材１が、店舗やショールームに設置される商品陳列用の陳列台、陳列棚、陳列用衝立等の什器１ａよりなる例を示している。
【００２７】
以下、取付け基材１を什器１ａを例として説明する。
【００２８】
図１に示すように、什器１ａには給電回路７と非接触給電部３を備えている。
【００２９】
給電回路７は、図４に示すように、整流平滑回路７ａ、インバータ７ｂを備えており、また、非接触給電部３は面状コイルよりなる給電コイル（一次コイル）により構成している。
【００３０】
什器１ａは枠材１６ａに囲まれた部分に面板１６を取付けることで構成してあり、添付図面に示す実施形態では枠材１６ａに囲まれた部分に一対の面板１６を取付けている。
【００３１】
一対の面板１６間に非接触給電部３を配設している。
【００３２】
一対の面板１６のうち一方又は両方の表面には多孔質部材又はゴム材で形成した表層部１７を設けており、この表層部１７を設けた面板１６の非接触給電部３と対向する部分が取付け部２となっている。したがって、少なくとも取付け部２の表面は多孔質部材又はゴム材で形成される。
【００３３】
なお、表層部１７を構成する多孔質部材としては、木質繊維や木粉や木質細片を樹脂のようなバインダーで一体化したものや、天然木等の表面が粗面となった木質系部材、あるいは、表面が粗面となった発泡合成樹脂等を用いることができる。
【００３４】
図２に示す実施形態は、両側の面板１６の各表面に多孔質部材又はゴム材で形成した表層部１７を設けた例であり、図５に示す実施形態は、片方の面板１６の表面に多孔質部材又はゴム材で形成した表層部１７を設けた例である。
【００３５】
非接触給電部３と給電回路７は、図１のように別体でそれぞれ什器１ａの別の場所に別置する別置型のであってもよく、また、非接触給電部３と給電回路７が一体型であってもよい。
【００３６】
給電回路７には什器１ａから外部に導出する給電コード１５が接続してあり、給電コード１５の先端のプラグを商用電源に接続するようになっている。
【００３７】
コードレス照明器具５は、器具ケース８内に受電回路９を備えた回路板１２と、非接触受電部４と、光源１０と、反射板１１を内装し、更に、背部に先端が尖ったピン部６を突設している。
【００３８】
器具ケース８は非磁性体により形成してあり、例えば、合成樹脂や、合成樹脂にガラス繊維などの強化充填材を配合したもので形成したり、あるいは、アルミニウム、木質系材料等により形成してあり、割れ難い材料であることが好ましい。
【００３９】
受電回路９は、図４に示すように、整流平滑回路９ａを備えており、また、非接触受電部４は平面状コイルよりなる受電コイル（二次コイル）により構成している。図３に示す実施形態では平面状をした非接触受電部４はピン部６の中心軸と直交する。
【００４０】
図３の実施形態では、器具ケース８を前面が前板部で遮蔽された筒体８ａで構成し、外周面部の一部に光照射用開口部８ｂを設けている。筒体８ａの内部には取付け突起８ｃを突設しており、この取付け突起８ｃに受電回路９、光源１０を設けた回路板１２、反射板１１を取付ける。
【００４１】
光源１０としては、白熱灯、ＬＥＤ、有機ＥＬ、無機ＥＬ等を用いることができ、光源１０の種類は特に限定されるものではない。
【００４２】
ＬＥＤの場合、単数のＬＥＤ光源でも良いし、多数のＬＥＤ光源が配列されていてもよい。また、多数のＬＥＤ光源が配列されている場合は、各ＬＥＤ光源は、それぞれ、赤色光、緑色光、青色光を発光するＬＥＤをまとめて一つの光源としても良いし、各発光色で分けられていてもよい。なお、上記ＬＥＤの発光色は一例であり、上記発光色に限定されるものではない。また、各ＬＥＤ素子へ流す電流を制御することで、光線の色成分を変化させることが可能である。
【００４３】
また、有機ＥＬの場合、有機発光層は、白色色を取り出せるように素子が積層されていても良いし、それぞれ、赤色光、緑色光、青色光を発光する素子をまとめて調色できるようにしてもよい。なお、有機発光層の発光色は一例であって、上記発光色に限定されるものではない。
【００４４】
反射板１１は、図２、図３の実施形態においては一端部側の径が小さく、他端部側の径が大きい略ラッパ状をしており、径の小さい側の端部内に光源１０が位置し、径の大きい側の端部が光照射用開口部８ｂに臨んでいる。
【００４５】
光源１０からの光は、直接又は反射板１１に反射されて光照射用開口部８ｂから外部に向けて照射されるようになっており、この光源１０から外部に照射される光の光軸は、光源１０から光照射用開口部８ｂの略中心を結んだ線と略一致するようになっている。
【００４６】
そして、上記光源１０から外部に照射される光の光軸は、器具ケース８の中心軸と非平行の関係となっており、上記光軸と中心軸は交差する場合と、交差しない場合とがある。図２は光軸と器具ケース８の中心軸が交差する例（略直交する例）を示しているが、必ずしも直交するものにのみ限定されない。
【００４７】
器具ケース８内には更に非接触受電部４を内装して取付け突起８ｃの背部側端部に取付ける。
【００４８】
器具ケース８の背部にはピン部６を突設している。つまり、図３の実施形態では、器具ケース８の背端部が開口して背面開口部１３となっており、この背面開口部１３に背方に向けてピン部６を突設した背板１４を固定することで、器具ケース８の背部にピン部６を突設している。
【００４９】
背板１４は非磁性体により構成してあり、背面開口部１３に固定するに当たっては、例えば、背面開口部１３、背板１４のいずれか一方に雌ねじ部２０を設けると共に他方に雄ねじ部２１を設けて螺合により固定する。もちろんこれにのみ限定されず、接着剤により固定したり、ねじ具により固定したり、あるいは係止により固定したりしてもよい。
【００５０】
ピン部６は、アルミ、樹脂、鉄、ステンレス等により形成している。ピン部６の中心軸は背板１４に対して直角となっており、更に、ピン部６の中心軸は器具ケース８の中心軸と略一致している。
【００５１】
既に説明したように、光源１０から外部に照射される光の光軸は、器具ケース８の中心軸と非平行の関係となっているので、光源１０から外部に照射される光の光軸とピン部６の中心軸も非平行の関係となっている。
【００５２】
図２の実施形態では、光源１０から外部に照射される光の光軸とピン部６の中心軸が略直交する関係となっている。
【００５３】
上記の構成のコードレス照明器具５は、取付け部２にピン部６を突き刺すことで、簡単な操作でコードレス照明器具５を什器１ａに取付け、落下しないように保持することができる。
【００５４】
このように取付け部２にピン部６を突き刺すので、取付け部２へのコードレス照明器具５の取付けが簡単且つ確実にでき、取付け部２のどの部位にでもコードレス照明器具５の取付けができる。
【００５５】
ピン部６を取付け部２に差し込んだ場合、ピン部６が非接触給電部３に突き刺さらないように、ピン部６の突出長さ及び取付け部２の表面（表層部１７の表面）から非接触給電部３までの寸法を設定している。
【００５６】
上記のように、ピン部６を差し込み、コードレス照明器具５を什器１ａの取付け部２の表面に近接配置した状態で取付けることで、非接触受電部４が非接触給電部３に対向し、非接触給電部３から非接触状態で電力供給を受けることができる。
【００５７】
非接触受電部４に電力供給がなされると、コードレス照明器具５の光源１０が発光する。発光した光は、光照射用開口部８ｂから外部に向けて照射され、陳列品のような照射対象物が効果的に照射されることになる。
【００５８】
ここで、ピン部６を中心にコードレス照明器具５を回動すると、光源１０から外部に照射される光の光軸は、器具ケース８の中心軸と非平行の関係となっているので、照射対象物の位置に応じて、光の照射方向を簡単に変えることができる。
【００５９】
コードレス照明器具５を使用しない場合は、ピン部６を抜き取ることで、コードレス照明器具５を簡単に什器１ａから取り外すことができる。
【００６０】
取付け部２の表層部１７が多孔質部材又はゴム材で形成してあるので、ピン部６を抜いても、多孔質部材の場合はピン部６を抜いた痕跡が目立たず、また、ゴム材の場合は弾性復元して引き抜いた痕の孔を塞ぎ、取付け部２の表面の外観が低下しない。
【００６１】
また、表層部１７を構成する多孔質部材が木質系部材であると、ピン部６を差し込んだ場合の保持がより確実となり、また、非接触給電部３である給電コイルからの磁束の漏れも誘発せず、ロスが少なく、且つ、給電コイルの発熱を遮断するので安全性も高い。
【００６２】
なお、図２の実施形態は、什器１ａの両面部に多孔質部材又はゴム材で形成した表層部１７を有する取付け部２を設けているので、什器１ａの両側の取付け部２にそれぞれピン部６を差し込んでコードレス照明器具５を取付けて、電力供給を受けることができる。
【００６３】
また、図１の実施形態では、什器１ａに設ける非接触給電部３の外周で囲まれた部分の面積（給電領域）を非接触受電部４の面積よりも広く形成した例を示している。この実施形態では、広い給電領域に対応した取付け部２の任意の位置にピン部６を突き刺して取付けることで、コードレス照明器具５の取付け位置を自由に選択できる。また、図１の矢印イ、ロに示すようにピン部６を中心に回転することで、照射方向を自由に変えることができる。
【００６４】
また、図６の実施形態のように、什器１ａの複数個所にそれぞれ非接触給電部３を設けてもよい。この例の場合、複数個所の非接触給電部３のうち任意の非接触給電部３に対応する取付け部２にピン部６を突き刺すことで、コードレス照明器具５の取付け位置を選択できる。
【００６５】
なお、図３に示す実施形態では、器具ケース８内に平面状をした一つの非接触受電部４をピン部６の中心軸と直交するように内装した例を示したが、器具ケース８内に平面状をした非接触受電部４を複数内装してもよい。この場合、複数の平面状をした非接触受電部４はいずれもピン部６の中心軸と非直角であり、且つ、各非接触受電部４のピン部６の中心軸に対して傾斜は互いに異ならせる。これにより、取付け部２に対してピン部６を差し込んでコードレス照明器具５を取付けた場合、ピン部６が取付け部２の表面に対して非直角に差し込まれても、傾斜の異なる複数の非接触受電部４のいずれかが、非接触給電部３から最も効果的に受電できる位置関係とすることが可能となる。
【００６６】
なお、図１、図２、図５、図６に示す実施形態では、コードレス照明器具５を取付ける取付け基材１として什器１ａの例で説明したが、取付け基材１が建築用の内装材１ｂであってもよく、また、家具１ｃであってもよい。
【００６７】
建築用の内装材１ｂとしては、壁用の内装材、天井用の内装材、床用の内装材のいずれであってもよい。図７には壁用の内装材１ｂの例が示してあり、該壁用の内装材１ｂの背面側に非接触給電部３を設けている。なお、図中１８は壁用の外装材である。
【００６８】
また、図８には家具１ｃの天板１９の背面側に非接触給電部３を設けている。
【００６９】
なお、上記のような取付け基材１が建築用の内装材１ｂや家具１ｃの場合も、コードレス照明器具５への給電のシステムは上記の什器１ａの場合と同じであるので、詳細な説明は省略する。
【００７０】
なお、器具ケース８の形状は円筒形を例示して説明したが、これにのみ限定されるものではなく、例えば、角筒形であったり、表面が多面体形状のもの等、他の種々の形状のものであってもよい。
【００７１】
なお、平面状をした非接触受電部４は、例えば、コイルを斜めに潰して形成することができるが、これにのみ限定されない。
【００７２】
また、非接触給電部３と、非接触受電部４とによる電力搬送としては、磁気共鳴型のものであってもよい。
【符号の説明】
【００７３】
１  取付け基材
２  取付け部
３  非接触給電部
４  非接触受電部
５  コードレス照明器具
６  ピン部
【図１】
2012028141.tif 000003
【図２】
2012028141.tif 000004
【図３】
2012028141.tif 000005
【図４】
2012028141.tif 000006
【図５】
2012028141.tif 000007
【図６】
2012028141.tif 000008
【図７】
2012028141.tif 000009
【図８】
2012028141.tif 000010